(57)【要約】【課題】本体の外観品質を向上させることのできる加熱送風装置を提供する。【解決手段】光を発光する発光ダイオードを用いて状態を表示する加熱送風装置であって、発光ダイオードからの光を選択的に遮光する遮光層７Ｃと外部光を反射するハーフミラー層７Ｂの二層を発光ダイオードと対向する位置に配置する。【選択図】図８
2013081643.tif 000002
【特許請求の範囲】
【請求項１】
光を発光する発光部を用いて状態を表示する加熱送風装置であって、
前記発光部からの光を選択的に遮光する遮光部と外部光を反射する反射部の二層を前記発光部と対向する位置に配置することを特徴とする加熱送風装置。
【請求項２】
表示パネルの裏面の前記発光部と対向する位置に突起部を設け、その突起部の上面に前記反射部と前記遮光部の二層を配置することを特徴とする請求項１記載の加熱送風装置。
【請求項３】
前記突起部の上面が平面であることを特徴とする請求項２記載の加熱送風装置。
【請求項４】
前記突起部の突起形状が前記遮光部により表される表示内容と同じ形状であることを特徴とする請求項２または３記載の加熱送風装置。
【発明の詳細な説明】
【技術分野】
【０００１】
本発明は、ヘアドライヤー等の加熱送風装置に関する。
【背景技術】
【０００２】
近年の加熱送風装置は、風温や風量等を調整する機能を備えているのが一般的である。風温や風量等の状態を表示する手段としては、それぞれの状態を印刷した表示窓を切り替えスイッチの近傍に設置したり、それぞれの状態に応じてＬＥＤ点灯表示するという手段が一般的であった（特許文献１参照）。
【先行技術文献】
【特許文献】
【０００３】
【特許文献１】特開昭６０−２９１０４号公報
【発明の概要】
【発明が解決しようとする課題】
【０００４】
しかしながら、従来技術によると、加熱送風装置の電源オン・オフに関係なく状態表示が目立ってしまうため、本体の外観品質を大きく損ねるという問題があった。
【０００５】
本発明は上記課題を解決するためになされたものであり、その目的は、本体の外観品質を向上させることのできる加熱送風装置を提供することである。
【課題を解決するための手段】
【０００６】
本発明は、光を発光する発光部を用いて状態を表示する加熱送風装置であって、前記発光部からの光を選択的に遮光する遮光部と外部光を反射する反射部の二層を前記発光部と対向する位置に配置することを特徴とする。
【０００７】
また、本発明において、表示パネルの裏面の前記発光部と対向する位置に突起部を設け、その突起部の上面に前記反射部と前記遮光部の二層を配置してもよい。
【０００８】
また、本発明において、前記突起部の上面が平面であってもよい。
【０００９】
また、本発明において、前記突起部の突起形状が前記遮光部により表される表示内容と同じ形状であってもよい。
【発明の効果】
【００１０】
本発明によれば、発光部からの光を選択的に遮光する遮光部と外部光を反射する反射部の二層を発光部と対向する位置に配置しているので、本体の外観品質を向上させることのできる加熱送風装置を提供することが可能となる。
【図面の簡単な説明】
【００１１】
【図１】図１は、本実施形態にかかるヘアドライヤーの側面図である。
【図２】図２は、本実施形態にかかるヘアドライヤーの斜視図である。
【図３】図３は、本実施形態にかかるヘアドライヤーの正面図である。
【図４】図４は、本実施形態にかかるヘアドライヤーの背面図である。
【図５】図５は、本実施形態にかかるヘアドライヤーの断面図である。
【図６】図６は、本実施形態にかかるヘアドライヤーの断面図である。
【図７】図７は、本実施形態にかかるヘアドライヤーの内部構成図である。
【図８】図８は、本実施形態にかかるヘアドライヤーの表示部の構成図である。
【発明を実施するための形態】
【００１２】
以下、本発明の実施形態について図面を参照して詳細に説明する。
【００１３】
図１〜図４は、本実施形態にかかるヘアドライヤー１の構成図であり、図１は側面図、図２は斜視図、図３は正面図、図４は背面図である。これら図に示すように、筒状の本体部１０の後端面に吸入口１５、先端面に吐出口１６を設け、この本体部１０の後端寄りの下部にグリップ部１１が連結されている。グリップ部１１の前面には送風切り替えのスイッチ１７が配設され、グリップ部１１の下端からは電源コード１８が引き出されている。このグリップ部１１は、図５に示す軸１９を中心として本体部１０に対して回動自在となっており、図１に示す使用状態位置から本体部１０の前部下面に添う収納位置へ折り畳むことができるものとなっている。
【００１４】
本体部１０は、左右二つ割りのハウジング１２と前部カバー１３とで外殻が構成され、その内部には送風ブロックが組み込まれている。この送風ブロックは、図５に示すように、合成樹脂製の筒状で且つ整流翼を有するモータ基台２０と、モータ基台２０の前方側に繋がる第１風洞２１と、第１風洞２１の更に前方側に位置する第２風洞２２とを備えている。そして、モータ基台２０内にファン２６を備えたモータ２５が設置され、モータ基台２０及び第１風洞２１の外面に電源基板３０と制御基板３１が配設されている。
【００１５】
先端側が細くなったテーパ状の第２風洞２２内には、断面十字型に組まれた基板２４に組み付けた帯状かつ波板状の電気抵抗体からなるヒータ３５が配設されている。第２風洞２２の外面には、図６に示すように、金属微粒子イオン（例えばプラチナイオン）を発生するイオン発生装置３６と、ミストを発生するミスト発生装置３７が配設されている。なお、図中の符号８１は枠体であり、符号８２はメッシュである。
【００１６】
本体部１０における前部カバー１３は、図２に示すように、イオン発生装置３６から吐出される金属微粒子イオン及びミスト発生装置３７から吐出されるミストの吐出用開口１３２，１３３を備えている。また、本体部１０先端の吐出口１６を囲む円筒部１３４を備え、後方に突出するフック部１３１をハウジング１２内面に係止させることでハウジング１２と連結されている。さらに、前部カバー１３における円筒部１３４は、その内周面が真円形であり、内周に沿うリブ１３５を備えている。
【００１７】
ここで、送風ブロックにおけるモータ基台２０と第１風洞２１と第２風洞２２、そして第２風洞２２の先端に連結される整流筒２３によって、吸入口１５から吐出口１６に至る主送風路が形成されている。モータ２５で駆動されるファン２６による送風は、第２風洞２２内を通る際、ヒータ３５が通電されていると、ヒータ３５によって加熱されて温風として整流筒２３を経て吐出口１６から吐出される。
【００１８】
また、図５に示すように、第１風洞２１の先端開口径よりも、第２風洞２２の後端外径の方が小さく、両者の間にはリング状の開口２９が空いている。モータ２５で駆動されるファン２６による送風の一部は、このリング状開口２９から送風ブロック２とハウジング１０内面との間の空隙を通り、前部カバー１３の円筒部１３４内面と整流筒２３との間の空隙として形成されたリング状の吐出口３８から吐出される。このリング状吐出口３８から吐出される風は、ヒータ３５と接触しないため、整流筒２３内を通って吐出される温風を囲む冷風として吐出される。リング状の開口２９を通る風の更に一部は、金属微粒子イオンとミストとを吐出用開口１３２，１３３から吐出することを補助する。
【００１９】
グリップ部２の前面中央に配された上下にスライドするスイッチ１７は、オンオフ用のメインスイッチとして機能するとともに風量切り替えも担うものである。また、本体部１０の側面には、風温切り替えのためのスイッチ６と、風温表示のための表示部７と、動作表示ランプ１３８が配されている。これらのスイッチ６，１７や表示部７などは、制御基板３１上のマイコンと電気的に接続されている。
【００２０】
本実施形態では、「ＨＯＴ」「温冷」「ＣＯＬＤ」「ＳＣＡＬＰ」の４つの風温状態を例示して説明する。「ＨＯＴ」とは、温風を出力するモードである。「温冷」とは、例えば冷風５秒、温風７秒といったように、温風と冷風を交互に出力するモードである。「ＣＯＬＤ」とは、冷風を出力するモードである。「ＳＣＡＬＰ」とは、低温風を出力するモードである。本体の電源が投入されると、マイコンが通電され、現在の風温モードに応じた駆動信号でヒータ３５が駆動されるとともに、現在の風温モードを表示するように表示部７の風温表示が制御される。スイッチ６が押下されるたび、その押下信号がマイコンに送られて４つの風温状態が順に切り替わるようになっている。
【００２１】
このヘアドライヤー１では、図７に示すように、風温制御のためにスイッチング素子（サイリスタ）Ｔを用いているのであるが、要冷却部材であるスイッチング素子Ｔの冷却は、ファン２６駆動によって生じる冷風を利用している。すなわち、スイッチング素子Ｔは制御基板３１上に実装して、スイッチング素子Ｔにおける放熱部６６を第２風洞２２の外周でリング状開口２９の前方に配置している。また、スイッチング素子Ｔの放熱部６６に放熱板６７をビス止め固定し、放熱板６７をリング状開口２９の前方に配置するとともに、放熱板６７の両側縁からリング状開口２９の正面に位置することになるコの字形状６７aに放熱板６７を延長することで、冷却効率を高めている。
【００２２】
通電時に発熱するスイッチング素子Ｔは、冷却しないと熱暴走を起こすために冷却を行うことが必須であり、この冷却に際してはファン２６による風を利用するのが好ましい。しかし、ファン２６から吐出口１６に至る主送風路内でヒータ３５の上流側にスイッチング素子Ｔを設置すると、スイッチング素子Ｔの設置領域の分だけ本体部１０の長手方向寸法が大きくなってしまう上に、送風抵抗となって風量低下を招いてしまう。そのため、主送風路の外周側でリング状開口２９からリング状吐出口３８に至る副送風路にスイッチング素子Ｔ及び／またはスイッチング素子Ｔに結合された放熱板６７を設置する。これにより、全長の増大と送風抵抗増加の低減とを図ることができる。
【００２３】
スイッチング素子Ｔの長手方向を本体部１０の長手方向と合わせているとともに放熱部６６を風の下流側に位置させているのは、本体部１０の外径増大量を最小に抑えるとともにスムーズな風の流れの中で冷却するためである。また、放熱部６６や放熱板６７及び放熱面積を広くするコの字形状６７aをもつ放熱板６７に沿って冷風が流れるようにすることで、冷却効率を高めている。ここでは、風温制御のためのスイッチング素子Ｔについて説明したが、風量制御についてスイッチング素子を用いる場合も同様にして冷却することが好ましい。
【００２４】
以下、表示部７の構成を更に詳しく説明する。
【００２５】
図８は、本実施形態にかかる表示部７の構成図であり、（Ａ）は正面図、（Ｂ）は背面図、（Ｃ）は断面図である。この表示部７は、「ＨＯＴ」「温冷」「ＣＯＬＤ」「ＳＣＡＬＰ」の４つの風温状態を表示するものであり、制御基板３１上に実装されたチップ型の発光ダイオードと、発光ダイオードの光を拡散する白色乃至乳白色の拡散板と、透明樹脂からなる表示パネル７３とからなる。表示パネル７３は、ハウジング１２と別体に形成して両面接着テープでハウジング１２に固定してもよいし、あるいはハウジング１２と一体に形成してもよい。表示パネル７３の裏面７Ａには、図８（Ｃ）に示すように、外部光を反射するハーフミラー層７Ｂを印刷または転写により設ける。また、このハーフミラー層７Ｂの上面の発光ダイオードと対向する面には、発光ダイオードからの光を選択的に遮光する遮光層７Ｃを印刷または塗装により設ける。“選択的に遮光する”とは、風温表示「ＨＯＴ」「温冷」「ＣＯＬＤ」「ＳＣＡＬＰ」などの文字が表れるように、特定の領域（例えば、文字部分以外の領域）を遮光するという意味である。
【００２６】
電源オフの状態では、発光ダイオードが発光していないので、ヘアドライヤー１の内部が暗い。そのため、ヘアドライヤー１の外部が明るくても、外部光がハーフミラー層７Ｂにより反射されるため、内部部品や風温表示を見えにくくすることができる。電源をオンにすると、発光ダイオードが発光し、その光が遮光層７Ｃとハーフミラー層７Ｂを透過して外部に照射される。このとき、遮光層７Ｃにより文字部分以外の領域については遮光されるので、外部には風温表示の文字が表れることになる。
【００２７】
ここで、図８（Ｃ）に示すように、表示パネル７３の裏面７Ａの発光ダイオードと対向する位置に突起部７Ｄを設け、その突起部７Ｄの上面にハーフミラー層７Ｂと遮光層７Ｃの二層を配置してもよい。これにより、効率的にハーフミラー層７Ｂを印刷または転写することが可能となる。また、突起部７Ｄの上面を平面に形成すれば、印刷内容がひずんだり、部分的に印刷できなくなるという不具合を回避することができるため、さらに効率的にハーフミラー層７Ｂを印刷または転写することが可能となる。ここでは図示していないが、突起部７Ｄの突起形状が遮光層７Ｃにより表される表示内容と同じ形状としてもよい。すなわち、遮光層７Ｃにより文字部分以外の領域について遮光する場合は、その文字部分以外の領域を突起状に形成する。このようにすれば、さらに表示内容が強調されるという効果がある。
【００２８】
なお、制御基板３１にフックによって固定される拡散板及び発光ダイオードは、風温表示「ＨＯＴ」「温冷」「ＣＯＬＤ」「ＳＣＡＬＰ」に応じて分割して設けられている。個々の発光ダイオードは、対応する表示内容によって異なる色を発光する。
【００２９】
表示パネル７３の裏面に設ける風温表示内容は白抜きした文字として形成するとともに、各表示内容の部分に応じて異なる背景色としている。このようにすれば、発光時に文字が明瞭に浮かび上がり、非発光時にも背景色の違いでどの位置がどの内容であるかを認識することができる。
【００３０】
表示部７の印刷色は本体部１０の色に合わせて変更してもよい。ただし、白色やピンク色・ゴールド色等の場合、単色印刷では十分に遮光することができないため、外観用印刷色で印刷した後、遮光用として金属粉末の配合率の高いインク材料を使用しているシルバー系の印刷色にて印刷を行うとよい。
【００３１】
以上のように、本実施形態にかかるヘアドライヤー１によれば、発光ダイオードからの光を選択的に遮光する遮光層７Ｃと外部光を反射するハーフミラー層７Ｂの二層を発光ダイオードと対向する位置に配置しているので、本体の外観品質を向上させることができる。すなわち、電源オフの状態では、外部光がハーフミラー層７Ｂにより反射されるため、内部部品や風温表示をハーフミラー層７Ｂにより見えにくくすることができる。一方、電源オンの状態では、発光ダイオードからの光が遮光層７Ｃとハーフミラー層７Ｂを透過して外部に照射されるため、外部には風温表示の文字が表れることになる。
【００３２】
また、本実施形態にかかるヘアドライヤー１では、表示パネル７３の裏面７Ａの発光ダイオードと対向する位置に突起部７Ｄを設け、その突起部７Ｄの上面にハーフミラー層７Ｂと遮光層７Ｃの二層を配置している。これにより、効率的にハーフミラー層７Ｂを印刷または転写することが可能となる。
【００３３】
また、本実施形態にかかるヘアドライヤー１では、突起部７Ｄの上面を平面に形成している。これにより、印刷内容がひずんだり、部分的に印刷できなくなるという不具合を回避することができるため、さらに効率的にハーフミラー層７Ｂを印刷または転写することが可能となる。
【００３４】
また、本実施形態にかかるヘアドライヤー１では、突起部７Ｄの突起形状が遮光層７Ｃにより表される表示内容と同じ形状としている。これにより、さらに表示内容が強調されるという効果がある。
【００３５】
なお、以上では好適な実施形態について説明したが、本発明は前記実施形態に限定されず、種々の変形が可能である。例えば、ここでは、本体部１０の側面に表示部７を備えることとしているが、表示部７の場所はこれに限定されるものではない。また、表示部７は風温を表示することとしているが、風量などを表示してもよいのはもちろんである。
【符号の説明】
【００３６】
１  ヘアドライヤー（加熱送風装置）
７３  表示パネル
７Ａ  突起部の裏面
７Ｂ  ハーフミラー層（反射部）
７Ｃ  遮光層（遮光部）
７Ｄ  突起部
【図１】
2013081643.tif 000003
【図２】
2013081643.tif 000004
【図３】
2013081643.tif 000005
【図４】
2013081643.tif 000006
【図５】
2013081643.tif 000007
【図６】
2013081643.tif 000008
【図７】
2013081643.tif 000009
【図８】
2013081643.tif 000010